(57)【要約】      （修正有）【課題】軽量で嵩張らないクリプトンガス入りお守り袋を提供する。【解決手段】１〜１．３気圧のクリプトンガスを封入した気密性の高い合成樹脂製の膜体からなる中袋を木製あるいは合成樹脂製あるいは金属製の筐体に格納し、さらに該筐体を布製の外袋にて被覆する。【選択図】図１
0003162678.tif 000002
【実用新案登録請求の範囲】
【請求項１】
１〜１．３気圧のクリプトンガスを封入した気密性の高い合成樹脂製の膜体からなる中袋を筐体に格納し、該筐体を外袋にて被覆してなるクリプトンガス入りお守り袋。
【請求項２】
中袋の膜体の素材が、ナイロン製の膜体とポリエチレン製の膜体を貼り合わせたナイロンポリエチレンフィルム、あるいは、エチレン−ビニールアルコール共重合樹脂フィルム、あるいは、ベースフィルムにシリカ又はアルミナを蒸着させたハイバリアフィルムであることを特徴とする請求項１に記載のクリプトンガス入りお守り袋。
【請求項３】
筐体の素材が、木あるいは合成樹脂あるいは金属であることを特徴とする請求項１あるいは請求項２に記載のクリプトンガス入りお守り袋。
【考案の詳細な説明】
【技術分野】
【０００１】
本考案は、下記の構成を有するクリプトンガス入りお守り袋に関する
ものである。
＜構成１＞
１〜１．３気圧のクリプトンガスを封入した気密性の高い合成樹脂製の膜体からなる中袋を筐体に格納し、該筐体を外袋にて被覆してなるクリプトンガス入りお守り袋。
＜構成２＞
中袋の膜体の素材が、ナイロン製の膜体とポリエチレン製の膜体を貼り合わせたナイロンポリエチレンフィルム、あるいは、エチレン−ビニールアルコール共重合樹脂フィルム、あるいは、ベースフィルムにシリカ又はアルミナを蒸着させたハイバリアフィルムであることを特徴とする構成１に記載のクリプトンガス入りお守り袋。
＜構成３＞
筐体の素材が、木あるいは合成樹脂あるいは金属であることを特徴とする構成１あるいは構成２に記載のクリプトンガス入りお守り袋。
【背景技術】
【０００２】
お守り袋の内部には、護符や神名を書いたご神体などが封入されるのが一般的であるが、最近ではお守り袋の内部にさまざまな封入物を封入してこれをお守りとすることが広く行われるようになってきている。例えば、下記特許文献１にては磁気活性炭を、下記特許文献２にては芳香剤を、下記特許文献３にては塩や米等の食品あるいは芳香剤を、下記特許文献４にては水晶レンズを、下記特許文献５にてはトルマリンを、夫々封入物として用いている。
【０００３】
しかしながら、封入物として、気体そのものを用いたお守りは、これまで例がなかった。芳香剤入りのものは、結果として蒸散される芳香剤が気体であるが、その元になる物質は個体状あるいは液体状であって、気体そのものとはいえない。すなわち、気体を封入物として用いた場合には、気密性の確保が問題となるので、この点から気体そのものは封入物としては対象とされなかったものと考えられる。
【先行技術文献】
【特許文献】
【０００４】
【特許文献１】特開昭６３−１１５５１５号公報
【特許文献２】特開平９−１１４３７８号公報
【特許文献３】特開平９−２３８８２１号公報
【特許文献４】特開平９−２８５３８５号公報
【特許文献５】実用新案登録第３０８６０５３号公報
【考案の概要】
【考案が解決しようとする課題】
【０００５】
お守りの封入物として、気体そのものを考える場合、上記のようにいかに気密性を保持するかということが大きな問題となる。また、お守りとしての携行性を考えた場合、重量的に余り重いものとなっても携行性が悪くなるし、また嵩張るものも相応しくない。さらには、封入物としての気体の性質についても、有毒のものや常温で反応性の高いもの、さらには揮発性の高いものや可燃性のものなども避けなければならない。このような諸条件をクリアできる気体を選定することと、選定された気体に相応しいお守り袋の構成を開発することを、本考案の課題として設定した。
【課題を解決するための手段】
【０００６】
本考案は、上記課題を解決するためになされたものであり、以下に示す解決手段を提供する。
＜解決手段１＞
１〜１．３気圧のクリプトンガスを封入した気密性の高い合成樹脂製の膜体からなる中袋を筐体に格納し、該筐体を外袋にて被覆してなるクリプトンガス入りお守り袋。
＜解決手段２＞
中袋の膜体の素材が、ナイロン製の膜体とポリエチレン製の膜体を貼り合わせたナイロンポリエチレンフィルム、あるいは、エチレン−ビニールアルコール共重合樹脂フィルム、あるいは、ベースフィルムにシリカ又はアルミナを蒸着させたハイバリアフィルムであることを特徴とする解決手段１に記載のクリプトンガス入りお守り袋。
＜解決手段３＞
筐体の素材が、木あるいは合成樹脂あるいは金属であることを特徴とする解決手段１あるいは解決手段２に記載のクリプトンガス入りお守り袋。
【考案の効果】
【０００７】
本考案の解決手段１の考案によれば、お守り袋の内部の封入物がクリプトンガスであるので、毒性がなく、また不活性ガスであるところから反応性が極めて低く化学反応による変質や劣化等を起こさない。さらには、揮発性もなく可燃性でもなく安定しており、常温ではむろんのこと、常温を多少はずれた温度域にても上記性質が変わらない。また、ガスであるので重量は軽く、その体積や形状もガスを封入する膜体からなる中袋の形状次第でどのような形にも成形可能である。また、ガス類の中では比較的分子量が大きいので、中袋から漏れにくいという特性も有している。さらには、圧力を１〜１．３気圧としているので、圧力で中袋が損傷する危険もない。
【０００８】
同じく本考案の解決手段１の考案によれば、クリプトンガスを封入した気密性の高い合成樹脂製の膜体からなる中袋を筐体に格納しているので、全体が堅牢であり、しっかりした形態を保持することができる。すなわち、クリプトンガスを封入した合成樹脂製の膜体からなる中袋を直接布製の外袋にて被覆した場合には、全体が可撓性を有する結果、身体の姿勢等によっては合成樹脂製の膜体の中袋が屈曲され、屈曲部分が劣化して気密性が損なわれる危険があるが、クリプトンガスを封入した中袋全体を筐体に格納することにより、合成樹脂製の膜体からなる中袋が保護され、クリプトンガスの漏洩の怖れがなくなる。
【０００９】
本考案の解決手段２の考案によれば、気密性の高い合成樹脂製の膜体からなる中袋の素材が、ナイロン製の膜体とポリエチレン製の膜体を貼り合わせたナイロンポリエチレンフィルム、あるいは、エチレン−ビニールアルコール共重合樹脂フィルム、あるいは、ベースフィルムにシリカ又はアルミナを蒸着させたハイバリアフィルムであるので、通常のポリエチレン製あるいは塩化ビニール製の中袋と比較すると気密性が高く、内部に封入されたクリプトンガスの漏洩を良く抑えることができる。
【００１０】
本考案の解決手段３の考案によれば、筐体の素材が、木あるいは合成樹脂あるいは金属であるので、筐体を極めて堅牢に構成することが可能である。また、素材の厚さを薄くすることもできるので、軽量に構成することも可能である。さらに、木製の場合には桐などの軽量材を用い、金属製の場合にはアルミニウムなどの軽金属を用いれば、より軽量に構成することが可能となる。
【図面の簡単な説明】
【００１１】
【図１】（ａ）本考案の実施例１のクリプトンガス入りお守り袋の正面図である。（ｂ）本考案の実施例１のクリプトンガス入りお守り袋の筐体の正面図である。（ｃ）本考案の実施例１のクリプトンガス入りお守り袋の筐体の左側面図である。（ｄ）本考案の実施例１のクリプトンガス入りお守り袋の中袋の正面図である。（ｅ）本考案の実施例１のクリプトンガス入りお守り袋の中袋の左側面図である。
【図２】（ａ）本考案の実施例１のクリプトンガス入りお守り袋の筐体の構成を説明する説明図である。  （ｂ）本考案の実施例１のクリプトンガス入りお守り袋の筐体の構成を説明する説明図である。
【考案を実施するための形態】
【００１２】
本考案を実施するための形態を、図面を参照しながら詳細に説明する。
【実施例１】
【００１３】
＜実施例１の構成＞
本考案の実施例１のクリプトンガス入りお守り袋Ａを、図１に示す。クリプトンガス入りお守り袋Ａは、外袋１、外袋１に被覆される筐体２、筐体２内に格納されるクリプトンガスＧ（図２ｂ参照）を封入した中袋３、より構成されている。クリプトンガスＧは１〜１．３気圧の圧力により中袋３内に封入されているが、圧力としては１．２気圧程度が最適であろうと考えられる。
【００１４】
外袋１は、布製の本体１１と紐１２から構成されている。形状は通常のお守り袋の形状であり、模様Ｆが表されている。模様Ｆは、実施例１のクリプトンガス入りお守り袋Ａにては一例として渦巻き模様となっているが、むろんその他の模様でもかまわない。
【００１５】
筐体２は、平たい箱状で、本体２１と蓋体２２から形成されている。本体２１と蓋体２２は、図２に見るように、本体２１の段部２１ａと蓋体２２の段部２２ａが嵌合することによって本体２１に蓋体２２が固定されるように形成されている。なお、実施例１のクリプトンガス入りお守り袋Ａにては筐体２は桐製であるが、檜など他の木材製、あるいは合成樹脂製、あるいは金属製でも構わない。
【００１６】
中袋３は図１ｄ、図１ｅに見るように、本体３１が合成樹脂製の平たい袋であって、本体３１の上端部３２と下端部３３がシールされて全体が閉鎖されている。本体３１内部にはクリプトンガスＧ（図２ｂ参照）が封入されている。上端部３２と下端部３３をシールする方法は、熱圧着や接着等が考えられるが、気密性を確実に保持できる方法であればいかなる方法でも構わない。
【００１７】
中袋３を構成する膜体の合成樹脂の素材としては、具体的には、ナイロン製の膜体とポリエチレン製の膜体を貼り合わせたナイロンポリエチレンフィルム、あるいは、エチレン−ビニールアルコール共重合樹脂フィルム、あるいは、ベースフィルムにシリカ又はアルミナを蒸着させたハイバリアフィルムなどが考えられる。いずれも、通常のポリエチレン製あるいは塩化ビニール製の膜体と比較するとはるかに高い気密性を有するものであり、しかも中袋３全体が筐体２の中に格納されるので中袋３に傷がつくこともなく、長期に亘る気密性が保証されるものである。
【産業上の利用可能性】
【００１８】
本考案は、これまで実現されることがなかった気体を封入したお守り袋としてまことに画期的なものであり、しかもクリプトンガスを用いているところからくる安全性と安定性は、特にお守り袋に最適の理想的な性質を提供するものである。また、中袋に気密性の確実な素材を用い、さらに筐体で被覆して損傷から保護しているので、長期に亘って携行可能な優れたお守り袋として、産業上の利用可能性は幅広いものであると考えられる。
【符号の説明】
【００１９】
１            外袋
１１          本体
１２          紐
２            筐体
２１          本体
２１ａ        段部
２２          蓋体
２２ａ        段部
３            中袋
３１          本体
３２          上端部
３３          下端部
Ａ            クリプトンガス入りお守り袋
Ｆ            模様
Ｇ            クリプトンガス
【図１】
0003162678.tif 000003
【図２】
0003162678.tif 000004